(57)【要約】      （修正有）【課題】ペットを楽に持ち運ぶことができるペットキャリーバスケットの装着位置決め構造を提供する。【解決手段】ペットキャリーバスケット１は、被挟持体に結合される。被挟持体は、自動車のベビー・チャイルドシートに用いるフックであるか、自動車のベビー・チャイルドシートに用いる専用取付け金具であるか、キャリーカート２である。ペットキャリーバスケットの底面には、結合装置４が位置決めされる。結合装置は、１対の係合杆を含む。係合杆は、第１の係止部材、第２の係止部材及び押動部材を含む。押動部材は、第１の係止部材及び第２の係止部材を同期で変位させ、第１の係止部材は、被挟持体を速やかかつ確実に係止するか、被挟持体を速やかに解除して外し得て、第２の係止部材は、係合杆の長さを調整してペットキャリーバスケットを位置決めする。【選択図】図２
0003233204.tif 000002
【実用新案登録請求の範囲】
【請求項１】
ペットキャリーバスケットを含む、ペットキャリーバスケットの装着位置決め構造であって、
前記ペットキャリーバスケットは、被挟持体に結合され、前記被挟持体は、自動車のベビー・チャイルドシートに用いるフックであるか、自動車のベビー・チャイルドシートに用いる専用取付け金具であるか、キャリーカートであり、前記ペットキャリーバスケットは、ペットを載せ得るバスケット体又は箱体であり、
前記ペットキャリーバスケットの底面には、結合装置が位置決めされ、前記結合装置は、１対の係合杆を含み、前記係合杆は、第１の係止部材、第２の係止部材及び押動部材を含み、
前記押動部材は、前記第１の係止部材及び前記第２の係止部材を同期で変位させ、前記第１の係止部材は、前記被挟持体を速やかかつ確実に係止するか、前記被挟持体を速やかに解除して外し得て、前記第２の係止部材は、前記係合杆の長さを調整し、大型及び小型の前記ペットキャリーバスケットを位置決めすることを特徴とする、ペットキャリーバスケットの装着位置決め構造。
【請求項２】
前記キャリーカート上には、フラット支持フレームが設けられ、
前記フラット支持フレームは、主杆及び載置枠を含み、
前記主杆は、載置枠と結合され、
前記キャリーカートは、２つの前輪と、２つの後輪と、前Ｔ字支持フレームと、１対の後支持フレームと、押し棒と、回転係合装置とを含み、
前記前輪は、前記前Ｔ字支持フレームの前部両端に接続され、前記後輪は、前記後支持フレームの後部両端に接続され、前記回転係合装置は、前記前Ｔ字支持フレーム、前記後支持フレーム及び前記押し棒の交接箇所に位置し、前記前Ｔ字支持フレーム上には、第１の接続体及び第２の接続体が接続され、
前記第１の接続体は、前記前Ｔ字支持フレームの頂端に接続され、前記第１の接続体の両端には、前記主杆がそれぞれ固定され、前記主杆の外端には、細主杆及び外ストッパヘッドが設けられ、前記第２の接続体は、前記前Ｔ字支持フレームで変位し、両側端に支杆及び連杆がそれぞれ枢着され、前記連杆の他端は、前記回転係合装置に枢着され、前記支杆の頂端が載置枠に位置決めされ、
前記フラット支持フレームは、Ｕ字状杆を呈する載置枠に、１本の副杆及び前記主杆が接続されて形成され、
前記フラット支持フレームは、前記前Ｔ字支持フレーム上に架設され、
前記主杆の外端の前記細主杆には、前記結合装置の前記第１の係止部材が装着されることを特徴とする請求項１に記載のペットキャリーバスケットの装着位置決め構造。
【請求項３】
前記結合装置の前記係合杆は、前記第１の係止部材、前記第２の係止部材及び前記押動部材の他、外筐杆、内筐杆、前端スリーブ、後端スリーブ、上ばね、下ばね、横置ばね及び固定板を含み、
前記外筐杆は、中空方形杆であり、頂面に複数の係止孔及び２つの固定凸部が設けられるとともに、外側面にスライド溝が形成され、
前記固定板は、２つのホールを有し、前記ペットキャリーバスケットの底面には、複数の固定孔が形成され、前記固定凸部は、前記ホール及び前記固定孔に挿通されて複数のナットにより固定され、前記前端スリーブは、前記外筐杆の前端に嵌設され、前記後端スリーブは、前記外筐杆の後端に嵌設され、前記内筐杆が挿通されて前記外筐杆の内部で可動可能に変移し、前記内筐杆は、中空方形杆であり、一端にＶ字状切欠きが形成され、頂面に穿孔が形成され、外側面に第１の孔部、第２の孔部、第３の孔部及び長方形の枢着孔が形成され、
前記内筐杆内には、押し板が挿入され、
前記押し板は、前端の第１の穿孔、第２の穿孔、第３の穿孔、上位置決め凹溝、下位置決め凹溝、側凸柱及び嵌合孔を有し、
前記第１の穿孔には、横置ばねの一端が結合され、前記第１の係止部材は、枢着孔を有し、
前記枢着孔は、上方に係合溝が形成されるとともに、下方に挟持凹部が形成され、
前記挟持凹部は、２つの挟持バンプにより形成され、前記係合溝には横置ばねの他端が係合され、
第１のピンは、前記内筐杆の前記第１の孔部及び前記第１の係止部材の前記枢着孔に挿入され、第２のピンは、前記内筐杆の前記第２の孔部及び前記押し板の前記第２の穿孔に挿入され、第３のピンは、前記内筐杆の前記第３の孔部及び前記押し板の前記第３の穿孔に挿入され、
前記上ばねは、前記押し板の前記上位置決め凹溝及び前記内筐杆の内頂壁に当接され、
前記下ばねは、前記押し板の前記下位置決め凹溝及び前記内筐杆の内底壁に当接され、
前記第２の係止部材は、嵌合バンプ、三角凹部及び底凹溝を有し、前記底凹溝には、前記下ばねが当接され、前記三角凹部は、斜面を有し、前記押し板の前記側凸柱は、三角凹部内に挿入されて斜面に沿って変位し、前記嵌合バンプは、上昇して前記外筐杆の前記係止孔内に嵌入されるか、降下して前記係止孔から外れ、
前記押動部材の内側面には、嵌合ブロック及び当接ブロックが設けられ、
前記嵌合ブロックは、前記外筐杆の前記スライド溝、前記内筐杆の前記枢着孔及び前記押し板の前記嵌合孔にそれぞれ嵌入されることを特徴とする請求項１に記載のペットキャリーバスケットの装着位置決め構造。
【考案の詳細な説明】
【技術分野】
【０００１】
本考案は、ペットキャリーバスケットの装着位置決め構造に関し、特に、ペットキャリーバスケットを自動車のベビー・チャイルドシートのフック又はキャリーカート上に速やかに結合し、ペットキャリーバスケットの前後位置を段階的に調整し、大型及び小型のペットに適合した大型及び小型のペットキャリーバスケットを提供し、自動車を運転するときは、ペットキャリーバスケットを自動車のベビー・チャイルドシートのフックに位置決めし、自動車を降りるときは、ペットキャリーバスケットをキャリーカートに位置決めすることができるため、ペットを楽に持ち運ぶことができるとともに、キャリーカートを折り畳む際、ペットキャリーバスケットも一緒に畳むことができるため非常に便利かつ実用的であり、収納に必要な空間も増えない、ペットキャリーバスケットの装着位置決め構造に関する。
【背景技術】
【０００２】
昔から知られているように、猫、犬などの動物は人類のパートナーと見なされ、ペットとして飼われているため、ペットの世話は、赤ちゃんを世話するのと同様に、家では美味しい食べ物が与えられ、外では飼主がペットを連れて公共交通機関に一緒に乗ったりし、食べる物があまり無く、体が汚らしく、人に追いかけ回され、自動車に轢き殺されるなど悲惨な状況の野良犬とは大きく異なっていた。そのため、ペットは人と同様に扱われ、人との感情的交わりがあるため、ペットを携行する際、多くの者はペットを一時的にペットキャリーバスケットに収容し、飼主はペットキャリーバスケットを携行して一緒に行動することができるため、ペットと一緒に外出することができたが、ペットキャリーバスケット及びペットはとても重かったため、携行するには大きな体力が必要であるとともに、多くの飼主は腕が筋肉痛となってしまう経験が多くあり、自動車にペットを載せて外出する際、ペットが車内で動き回り、ドライバーの運転に悪影響を与えることがあった。現在、ベビーカーにペットを直接載せると、飼主は幼児と同様に、ベビーカーを押してペットを楽に持ち運ぶことができるが、ベビーカーの椅子は幼児を運ぶのに適しているが、ペットは人と比べて体型、サイズ及び重量が異なるため、ペットに応用することは実用的でなかった。
【０００３】
従来のペットキャリーバスケットは、飼主がペットを携行することができたが、飼主の体力が消耗する一方、ベビーカーにペットを直接載せると楽で便利であるがペットには適していなかった。特に、外出する際、運転手が自動車にペットを載せると、子どもと同様にペットが運転中に動き回り、ドライバーの運転に悪影響を与えることがあるため、好ましくなかった。
【考案の概要】
【考案が解決しようとする課題】
【０００４】
本考案の第１の目的は、ペットキャリーバスケットは、自動車のベビー・チャイルドシートに用いるフックか、自動車のベビー・チャイルドシートに用いる専用取付け金具か、キャリーカートと速やかに着脱可能であり、飼主が自動車を運転するときは、ペットキャリーバスケットを自動車のベビー・チャイルドシートのフックに位置決めし、飼主が自動車を降りるときは、ペットキャリーバスケットをキャリーカートに位置決めすることができるため、ペットを楽に持ち運ぶことができる、ペットキャリーバスケットの装着位置決め構造を提供することにある。
本考案の第２の目的は、ペットキャリーバスケットの前後位置を段階的に調整し、大型及び小型のペットキャリーバスケットに適用し、外筐杆及び内筐杆の相対位置が調整可能なため、大型及び小型のペットに適合する、ペットキャリーバスケットの装着位置決め構造を提供することにある。
本考案の第３の目的は、キャリーカートを折り畳む際、ペットキャリーバスケットも一緒に折り畳むことができ、キャリーカートを折り畳むと同時にペットキャリーバスケットも一緒に折り畳まれるため非常に便利で実用的である上、収容空間も大きくない。
【課題を解決するための手段】
【０００５】
上記課題を解決するために、本考案の第１の形態によれば、ペットキャリーバスケットを含む、ペットキャリーバスケットの装着位置決め構造であって、前記ペットキャリーバスケットは、被挟持体に結合され、前記被挟持体は、自動車のベビー・チャイルドシートに用いるフックであるか、自動車のベビー・チャイルドシートに用いる専用取付け金具であるか、キャリーカートであり、前記ペットキャリーバスケットは、ペットを載せ得るバスケット体又は箱体であり、前記ペットキャリーバスケットの底面には、結合装置が位置決めされ、前記結合装置は、１対の係合杆を含み、前記係合杆は、第１の係止部材、第２の係止部材及び押動部材を含み、前記押動部材は、前記第１の係止部材及び前記第２の係止部材を同期で変位させ、前記第１の係止部材は、前記被挟持体を速やかかつ確実に係止するか、前記被挟持体を速やかに解除して外し得て、前記第２の係止部材は、前記係合杆の長さを調整し、大型及び小型の前記ペットキャリーバスケットを位置決めすることを特徴とする、ペットキャリーバスケットの装着位置決め構造を提供する。
【図面の簡単な説明】
【０００６】
【図１】図１は、本考案の一実施形態に係るペットキャリーバスケットをキャリーカートと結合した状態を示す斜視図。
【図２】図２は、本考案の一実施形態に係るペットキャリーバスケット及びキャリーカートを示す分解斜視図。
【図３】図３は、本考案の一実施形態に係るペットキャリーバスケットをキャリーカートと結合した状態を示す側面図。
【図４】図４は、本考案の一実施形態に係るペットキャリーバスケットとキャリーカートとを分解した状態を示す側面図。
【図５】図５は、本考案の一実施形態に係るペットキャリーバスケットとキャリーカートとを結合した状態を示す拡大斜視図。
【図６】図６は、本考案の一実施形態に係る結合装置及びキャリーカートを示す分解斜視図。
【図７】図７は、本考案の一実施形態に係る結合装置の内筐杆及びそのアタッチメントを示す分解斜視図。
【図８】図８は、本考案の一実施形態に係る結合装置の外筐杆及びペットキャリーバスケットを示す分解斜視図。
【図９】図９は、本考案の一実施形態に係る結合装置がフラット支持フレームの細主杆をロックした状態を示す側面図。
【図１０】図１０は、本考案の一実施形態に係る結合装置がフラット支持フレームの細主杆をロックした状態を示す断面図。
【図１１】図１１は、本考案の一実施形態に係る結合装置がフラット支持フレームの細主杆をアンロックした状態を示す側面図。
【図１２】図１２は、本考案の一実施形態に係る結合装置がフラット支持フレームの細主杆をアンロックした状態を示す断面図。
【図１３】図１３は、本考案の一実施形態に係る結合装置が押動部材を段階的に前方に引っ張って調整するときの状態を示す側面図。
【図１４】図１４は、本考案の一実施形態に係る結合装置が押動部材を調整した後の状態を示す側面図。
【図１５】図１５は、本考案の一実施形態に係るキャリーカートが押し棒を押下げ、折り畳む準備をするときの状態を示す側面図。
【図１６】図１６は、本考案の一実施形態に係るキャリーカートを折り畳み、ペットキャリーバスケットを一緒に収納したときの状態を示す側面図。
【考案を実施するための形態】
【０００７】
本考案の技術手段及びそれにより達成可能な効果を、より完全かつ明白に開示するために、開示した添付の図面及び符号と併せて本考案を以下で詳説する。
【０００８】
図１〜図６を参照する。図１〜図６に示すように、本考案の一実施形態に係るペットキャリーバスケットの装着位置決め構造は、ペットキャリーバスケット１を含む。ペットキャリーバスケット１は、被挟持体に結合される。被挟持体は、自動車のベビー・チャイルドシートに用いるフックであるか、自動車のベビー・チャイルドシートに用いる専用取付け金具である。フックは自動車のシートベルト及びその専用取付け金具でもよい（自動車の従来技術に属し、本願の登録請求の範囲に含まれないため、ここでは詳しく述べない）。本実施形態は、キャリーカート２を例に説明する。キャリーカート２は折り畳み式であり、ペットキャリーバスケット１は、ペットを載せることができるバスケット体又は箱体であり、開放式又は閉鎖式でもよい。キャリーカート２は一般のキャリーカートであり、フラット支持フレーム３を主に有する。フラット支持フレーム３は、主杆３１及び載置枠３２を含む。主杆３１は、載置枠３２と結合される。本実施形態のキャリーカート２は、２つの前輪２１と、２つの後輪２２と、前Ｔ字支持フレーム２３と、１対の後支持フレーム２４と、押し棒２５と、回転係合装置２６とを含む（キャリーカート２及びその回転係合装置２６などの折り畳みアタッチメントは従来技術に属し、本願の登録請求の範囲に含まれないため、ここでは詳しく述べない）。前輪２１は、前Ｔ字支持フレーム２３の前部両端に接続される。後輪２２は、後支持フレーム２４の後部両端に接続される。回転係合装置２６は、前Ｔ字支持フレーム２３、後支持フレーム２４及び押し棒２５の交接箇所に位置し、前Ｔ字支持フレーム２３及び後支持フレーム２４は展開又は収納可能であり、後支持フレーム２４及び押し棒２５は、展開又は収納可能であり、前Ｔ字支持フレーム２３上には、第１の接続体３３及び第２の接続体３４が接続される。第１の接続体３３は、前Ｔ字支持フレーム２３の頂端に接続される。第１の接続体３３の両端には、主杆３１がそれぞれ固定される。主杆３１の外端には、細主杆３１１及び外ストッパヘッド３１２が設けられる。第２の接続体３４の両側端には、支杆３５及び連杆３５１がそれぞれ枢着される。連杆３５１の他端は、回転係合装置２６に枢着される。キャリーカート２を折り畳む際、回転係合装置２６は、連杆３５１及び支杆３５を連動し、フラット支持フレーム３を前Ｔ字支持フレーム２３に向かって倒すと、一緒にペットキャリーバスケット１が折り畳まれ、支杆３５の頂端が載置枠３２に位置決めされる。フラット支持フレーム３は、Ｕ字状杆を呈する載置枠３２に、１本の副杆３６及び主杆３１が接続されて形成されるとともに、前Ｔ字支持フレーム２３上に架設される。ペットキャリーバスケット１の底面には、複数の固定孔１１が形成され（図８を参照する）、固定孔１１には、結合装置４が結合される。結合装置４には、フラット支持フレーム３が結合され、結合装置４を解除するとフラット支持フレーム３が外れる。
【０００９】
図７〜図１０を参照する。図７〜図１０に示すように、結合装置４は、１対の係合杆４０を含む（１対の係合杆４０は互いに対称である）。結合装置４の係合杆４０は、第１の係止部材４１、第２の係止部材４２、押動部材４３、外筐杆４４、内筐杆４５、前端スリーブ４６、後端スリーブ４７、上ばね４０１、下ばね４０２、横置ばね４０３及び固定板４８を含む。外筐杆４４は、中空方形杆であり、頂面に複数の係止孔４４１及び２つの固定凸部４４２を有し、外側面にスライド溝４４３が形成される。固定板４８は、２つのホール４８１を有する。ペットキャリーバスケット１の底面には、複数の固定孔１１が形成される。固定凸部４４２は、ホール４８１及び固定孔１１に挿通されて複数のナット１２により固定される。前端スリーブ４６は、外筐杆４４の前端に嵌設される。後端スリーブ４７は、外筐杆４４の後端に嵌設される。内筐杆４５は、挿通されて外筐杆４４内部で可動可能に変移する。内筐杆４５は、中空方形杆であり、一端にＶ字状切欠き４５１が形成され、頂面に穿孔４５２が形成され、外側面に第１の孔部４５３、第２の孔部４５４、第３の孔部４５５及び長方形の枢着孔４５６が形成され、押し板４９が内筐杆４５内に挿入される。押し板４９は、前端の第１の穿孔４９１、第２の穿孔４９２、第３の穿孔４９３、上位置決め凹溝４９４、下位置決め凹溝４９５、側凸柱４９６及び嵌合孔４９７を有する。第１の穿孔４９１には、横置ばね４０３の一端が結合される。第１の係止部材４１は、枢着孔４１１を有する。枢着孔４１１は、上方に係合溝４１２が形成されるとともに、下方に挟持凹部４１３が形成される。挟持凹部４１３は、前後に設けられた２つの挟持バンプ４１４により形成され、係合溝４１２には横置ばね４０３の他端が係合される。第１のピン４５７は、内筐杆４５の第１の孔部４５３及び第１の係止部材４１の枢着孔４１１に挿入される。第２のピン４５８は、内筐杆４５の第２の孔部４５４及び押し板４９の第２の穿孔４９２に挿入される。第３のピン４５９は、内筐杆４５の第３の孔部４５５及び押し板４９の第３の穿孔４９３に挿入される。上ばね４０１は、押し板４９の上位置決め凹溝４９４及び内筐杆４５の内頂壁に当接される。下ばね４０２は、押し板４９の下位置決め凹溝４９５及び内筐杆４５の内底壁に当接される。第２の係止部材４２は、嵌合バンプ４２１、三角凹部４２２及び底凹溝４２３を有する。底凹溝４２３には、下ばね４０２が当接される。三角凹部４２２は、斜面４２２１を有する。押し板４９の側凸柱４９６は、三角凹部４２２内に挿入されて斜面４２２１に沿って変位する。嵌合バンプ４２１は、上昇して外筐杆４４の一つの係止孔４４１内に嵌入されるか、降下して係止孔４４１から外れる。押動部材４３の内側面には、嵌合ブロック４３１及び当接ブロック４３２が設けられる。嵌合ブロック４３１は、外筐杆４４のスライド溝４４３、内筐杆４５の枢着孔４５６及び押し板４９の嵌合孔４９７にそれぞれ嵌入される。
【００１０】
上述した構造改良により、本考案は、押し板４９及びそのアタッチメントを内筐杆４５内に取付けてから、内筐杆４５及びそのアタッチメントを外筐杆４４内に取付け、外筐杆４４の固定凸部４４２を固定板４８のホール４８１及びペットキャリーバスケット１の底面の固定孔１１に挿通させると、複数のナット１２が固定凸部４４２に結合されて固定され、ペットキャリーバスケット１と結合装置４とが結合される。結合装置４は、自動車のベビー・チャイルドシートの専用取付け金具に結合され、押動部材４３を前方に引っ張ると第１の係止部材４１が開き（従来技術では前端スリーブ４６を抜く必要があった）、専用取付け金具に挿入して係合し、自動車のシートベルトによりペットキャリーバスケット１を縛り、係合杆４０を外し、専用取付け金具の押しボタンを押すと、外すことができる（専用取付け金具は従来技術であり、本願では専用取付け金具は変更しないため、ここでは専用取付け金具構造について詳しく述べない）。もし結合装置４をキャリーカート２のフラット支持フレーム３上に結合した場合、図９〜図１２に示すように、押動部材４３を順次前方に引っ張ると（外筐杆４４のスライド溝４４３に沿って）、押し板４９により第１の係止部材４１（横置ばね４０３により第１の係止部材４１を引っ張る）及び第２の係止部材４２が同期で下降し、第１の係止部材４１が僅かに仰角変位し、挟持凹部４１３が内筐杆４５のＶ字状切欠き４５１から一時的に外れると、Ｖ字状切欠き４５１をフラット支持フレーム３の主杆３１（図６を参照する）両端の細主杆３１１に近づけ、細主杆３１１がＶ字状切欠き４５１内に進入されてから、押動部材４３を解除し、横置ばね４０３の弾性回復力により押動部材４３、押し板４９及び第１の係止部材４１を復位させる。第１の係止部材４１の２つの挟持バンプ４１４は、下向きに細主杆３１１を挟持する。細主杆３１１が挟持凹部４１３内に進入し（主杆３１の外端の外ストッパヘッド３１２の作用は、係止組立過程で第１の係止部材４１が外方に変位することを防ぎ、外ストッパヘッド３１２により第１の係止部材４１を阻むことにある）、第１の係止部材４１をフラット支持フレーム３の主杆３１の両端に係止し、係合杆４０がフラット支持フレーム３の載置枠３２上に設置される。再び押動部材４３を前方に引っ張ると、第１の係止部材４１がフラット支持フレーム３の主杆３１の細主杆３１１を解除して外れ、ペットキャリーバスケット１をキャリーカート２のフラット支持フレーム３に迅速かつ確実に結合するか、キャリーカート２のフラット支持フレーム３から迅速に外すことができる。
【００１１】
また、第２の係止部材４２が押動部材４３及び押し板４９により連動されると、押し板４９の側凸柱４９６が前方へ移動し、側凸柱４９６が第２の係止部材４２の三角凹部４２２の斜面４２２１に沿って、第２の係止部材４２が元の位置で下降し、下ばね４０２が第２の係止部材４２により圧縮され、第２の係止部材４２の嵌合バンプ４２１が外筐杆４４の係止孔４４１から外れ、第２の係止部材４２の嵌合バンプ４２１が外筐杆４４の係止孔４４１から外れた後、図１３及び図１４に示すように、指で内筐杆４５の後端（Ｖ字状切欠き４５１）を一時的に引っ張ると、外筐杆４４（又はペットキャリーバスケット１）を引っ張り、外筐杆４４及び内筐杆４５が相対的に変移して押動部材４３が緩み、外筐杆４４及び内筐杆４５の相対位置を調整した後、第２の係止部材４２が下ばね４０２の回復力を受け、その嵌合バンプ４２１が外筐杆４４の他方の係止孔４４１に再び嵌入されるとともに、第１の係止部材４１がフラット支持フレーム３の主杆３１の両端に係止され、ペットキャリーバスケット１（外筐杆４４と同期で）がフラット支持フレーム３（図６を参照する）に寄りかかって前方へ移動し、ペットキャリーバスケット１は、フラット支持フレーム３に寄りかかって調整され、前方へ移動する。
【００１２】
図３、図１５及び図１６を参照する。図３、図１５及び図１６に示すように、キャリーカートを折り畳む際、押し棒２５を押下げて回転係合装置２６を牽引する。回転係合装置２６は、連杆３５１及び支杆３５により第２の接続体３４を押動し、前Ｔ字支持フレーム２３に沿って略下方に移動し、連杆３５１と支杆３５との間に形成された夾角が徐々に小さくなるとともに、フラット支持フレーム３が前Ｔ字支持フレーム２３に向かって倒され、キャリーカートを折り畳むときに一緒にペットキャリーバスケット１を折り畳まれ、キャリーカートを折り畳むとペットキャリーバスケット１も折り畳まれるため、非常に便利で実用的である上、収容空間が大きくならない。
【００１３】
本考案は飼主がペットを容易にペットキャリーバスケット１に載せ、自動車を運転する際、ペットキャリーバスケット１底部の結合装置４の第１の係止部材４１を自動車のベビー・チャイルドシートのフック上に挟持し（専用取付け金具）、シートベルトでペットキャリーバスケット１を縛り、ペットキャリーバスケット１を自動車のシート上に位置決めするため、ペットが動き回ることがなく、自動車を運転するドライバーに悪影響を与えず、事故の発生を減らし、飼主が自動車を降りるときは、結合装置４の第１の係止部材４１を自動車上に用いるベビー・チャイルドシートのフックから外してから（専用取付け金具）、結合装置４の第１の係止部材４１をキャリーカート２のフラット支持フレーム３上に挟持すると、キャリーカート２が押動可能となり、大きな力を加えなくてもペットキャリーバスケット１を手で持つか、リードでペットを繋いだりペットが勝手に走り回って人に噛み付いたりすることを心配する必要もない。本願は、ペットキャリーバスケット１を自動車のベビー・チャイルドシートのフック上又はキャリーカート２のフラット支持フレーム３上に速やかかつ確実に結合し、自動車のベビー・チャイルドシートのフック上又はキャリーカート２のフラット支持フレーム３上から迅速かつ確実に外し、もしペットキャリーバスケット１が大型である場合、フラット支持フレーム３に伴って外筐杆４４及び内筐杆４５の相対位置を調整して前方へ移動させることもできるため、大型、小型両方のペットにも適合する。
【符号の説明】
【００１４】
１  ペットキャリーバスケット
２  キャリーカート
３  フラット支持フレーム
４  結合装置
１１  固定孔
１２  ナット
２１  前輪
２２  後輪
２３  前Ｔ字支持フレーム
２４  後支持フレーム
２５  押し棒
２６  回転係合装置
３１  主杆
３２  載置枠
３３  第１の接続体
３４  第２の接続体
３５  支杆
３６  副杆
４０  係合杆
４１  第１の係止部材
４２  第２の係止部材
４３  押動部材
４４  外筐杆
４５  内筐杆
４６  前端スリーブ
４７  後端スリーブ
４８  固定板
４９  押し板
３１１  細主杆
３１２  外ストッパヘッド
３５１  連杆
４０１  上ばね
４０２  下ばね
４０３  横置ばね
４１１  枢着孔
４１２  係合溝
４１３  挟持凹部
４１４  挟持バンプ
４２１  嵌合バンプ
４２２  三角凹部
４２３  底凹溝
４３１  嵌合ブロック
４３２  当接ブロック
４４１  係止孔
４４２  固定凸部
４４３  スライド溝
４５１  Ｖ字状切欠き
４５２  穿孔
４５３  第１の孔部
４５４  第２の孔部
４５５  第３の孔部
４５６  枢着孔
４５７  第１のピン
４５８  第２のピン
４５９  第３のピン
４８１  ホール
４９１  第１の穿孔
４９２  第２の穿孔
４９３  第３の穿孔
４９４  上位置決め凹溝
４９５  下位置決め凹溝
４９６  側凸柱
４９７  嵌合孔
４２２１  斜面
【図１】
0003233204.tif 000003
【図２】
0003233204.tif 000004
【図３】
0003233204.tif 000005
【図４】
0003233204.tif 000006
【図５】
0003233204.tif 000007
【図６】
0003233204.tif 000008
【図７】
0003233204.tif 000009
【図８】
0003233204.tif 000010
【図９】
0003233204.tif 000011
【図１０】
0003233204.tif 000012
【図１１】
0003233204.tif 000013
【図１２】
0003233204.tif 000014
【図１３】
0003233204.tif 000015
【図１４】
0003233204.tif 000016
【図１５】
0003233204.tif 000017
【図１６】
0003233204.tif 000018